(57)【要約】【課題】壁際芯材を垂れ壁に対してより円滑かつ簡単に取り付けることができる取付構造を提供すること。【解決手段】外側面側に突出した受部２０を有する取付金具２を、前記受部が２０垂れ壁９から突出状態になるように所定の間隔で壁際の垂れ壁９に固定し、正面側にフランジ１１と熨斗瓦の取付部１０とを形成した壁際芯材１を前記受部２０に支持させ、当該壁際芯材１を垂れ壁９に釘止めすることを特徴としている。【選択図】        図１
2004316362.tif 000002
【特許請求の範囲】
【請求項１】
外側面側に突出した受部（２０）を有する取付金具（２）を、前記受部（２０）が垂れ壁（９）から突出状態になるように壁際の垂れ壁（９）に固定し、屋根側に熨斗瓦（６）の取付部（１０）を形成した壁際芯材（１）を前記受部（２０）に支持させ、当該壁際芯材（１）を垂れ壁に固定したことをと特徴とする、瓦屋根における壁際芯材の取付構造。
【請求項２】
前記壁際芯材（１）は、プラスチックに木材パウダーを配合した木質材料であることを特徴とする、請求項１に記載の瓦屋根における壁際芯材の取付構造。
【請求項３】
前記壁際芯材（１）の底面と前記受部（２０）には、互いに係合し合う係合部（１２），（２１）が長さ方向に沿って形成されていることを特徴とする、請求項１又は２に記載の瓦屋根における壁際芯材の取付構造。
【請求項４】
壁際芯材（１）の背面には、前記取付金具（２）の受部（２０）以外の部分が収まる収容部（１４）が長さ方向に沿って形成されていることを特徴とする、請求項１〜３のいずれかに記載の瓦屋根における壁際芯材の取付構造。
【発明の詳細な説明】
【０００１】
【発明の属する技術分野】
本発明は一般的には瓦屋根における壁際芯材の取付構造に関するものであり、さらに具体的には、乾式構造の壁際における壁際芯材の取付構造に関するものである。
【０００２】
【従来の技術】
従来瓦屋根の棟部については乾式工法が多く提案されているが、下屋根と垂れ壁との壁際については乾式工法は提案されていず、後記非特許文献１に記載されているのように、葺き土を用いる湿式工法が行われている。
ところで、発明者は壁際について乾式工法を既に提案しており（特願２００２−１５８１７７号、特願２００２−１６９２０８号）、当該発明では、プラスチックに木材パウダーを配合した木質材料からなる壁際芯材を使用している。
この壁際芯材は、正面側にフランジと熨斗瓦の取付部とを有しており、長さは２０００ｍｍである。壁際の施工は、芯材の背面側を壁際に沿って垂れ壁に釘（ねじ釘）止めにより固定し、前記フランジの下部の隙間を防水施工した後、当該フランジに面戸瓦を取り付けるか又は生モルタルによる化粧面戸を塗工し、前記取付部に熨斗瓦を釘止めにより取り付ける。
【０００３】
【非特許文献１】
「瓦屋根標準設計・施工ガイドライン」（平成１３年８月１３日、社団法人全日本瓦工事業連盟，全国陶器瓦工業組合連合会及び全国厚形スレート組合連合会発行）第６８頁
【０００４】
【発明が解決しようとする課題】
前述の壁際芯材はを釘止めにより垂れ壁に取り付けるとき、そのレベルを決めて釘止めするまでは、適当な台等を用いて仮止め状態に保つが、傾斜している下屋根の上で台を使用しての作業はやや円滑を欠くことがあった。
本発明の目的は、壁際芯材を垂れ壁に対してより円滑かつ簡単に取り付けることができる取付構造を提供することにある。
【０００５】
【課題を解決する手段】
本発明に係る瓦屋根における壁際芯材の取付構造は、前述の課題を解決するため以下のように構成したものである。
すなわち、請求項１に記載の瓦屋根における壁際芯材の取付構造は、外側面側に突出した受部２０を有する取付金具２を、前記受部２０が垂れ壁９から突出状態になるように壁際の垂れ壁９に固定し、屋根側に熨斗瓦６の取付部１０を形成した壁際芯材１を前記受部２０に支持させ、当該壁際芯材１を垂れ壁９に固定したことを特徴としている。
【０００６】
請求項２に記載の瓦屋根における壁際芯材の取付構造は、請求項１の取付構造において、前記壁際芯材１は、プラスチックに木材パウダーを配合した木質材料であることを特徴としている。
【０００７】
請求項３に記載の瓦屋根における壁際芯材の取付構造は、請求項１又は２の取付構造において、前記壁際芯材１の底面と前記受部２０には互いに係合し合う係合部１２，２１が長さ方向に沿って形成されていることを特徴としている。
【０００８】
請求項４に記載の瓦屋根における壁際芯材の取付構造は、請求項１〜３のいずれかの取付構造において、壁際芯材１の背面には、前記取付金具２の受部２０以外の部分が収まる収容部１４が長さ方向に沿って形成されていることを特徴としている。
【０００９】
【発明の実施の形態】
以下図面を参照しながら、本発明に係る壁際芯材の取付構造の好ましい実施形態を説明する。
第１実施形態
図１は本発明に係る実施形態の取付構造を水平壁際に実施した施工構造の部分断面図、図２は壁際芯材の部分斜視図、図３は取付金具の斜視図、図４は保持体の部分分解斜視図である。
【００１０】
下屋根８の屋根下地８０には、桟木８１に釘止めされた状態で桟瓦７が葺かれている。
壁際において、垂れ壁９の下屋根８から適当量浮上した位置には、所定の間隔に取付金具２をねじ釘２２により釘止めする。図３で示すように、取付金具２には、下端部に下屋根８側へほぼ直角に張り出した受部２０が形成されており、受部２０の先端は垂れ壁９側へ曲げ加工された立上がり状の係合部２１が形成され、主体部分にねじ釘用の孔２３が形成されている。
【００１１】
前述のように垂れ壁９に取り付けられた取付金具２の受部２０上に壁際芯材１を支持させ、当該壁際芯材１をねじ釘１５により垂れ壁９に固定する。取付金具２を垂れ壁９へ取り付ける際には、壁際芯材１相互の連続部にも取り付けるようにする。
壁際芯材１の正面側には、下屋根７側に張り出したフランジ１１が長さ方向に沿って一体に形成されており、このフランジ１１の上方に連続して階段状に熨斗瓦の取付部１０が形成されている。壁際芯材１には、底面に取付金具２の係合部２１と互いに係合し合う溝状の係合部１２が形成され、背面に取付金具２の主体部分（受部２０以外の部分）が嵌め込み状に収容される収容部１４が形成されている。
上記各係合部１２，２１は、少なくとも壁際芯材１の前後方向（垂れ壁９側から見た前後方向）の位置決めが行われるように互いに係合し合う形態であれば足りる。したがって、前記形態に代えて一方の係合部２１を溝状とし、他方の係合部１２を下方に突き出す凸状としても実施することができる。
壁際芯材１は、乾燥した木材チップを微細に粉砕した木材パウダーをプラスチックと配合して一体成形した、いわゆる木質材料によって構成されている。この実施形態では、芯材１のプラスチック材料として再生ポリスチレンが使用されている。芯材１の長さは、後述の熨斗瓦６の長さや施工の作業性等を考慮して設計されるが、この実施形態では２０００ｍｍ程度に設計されている。
【００１２】
この実施形態では、フランジ１１の下の隙間を防水施工するため、壁際芯材１のフランジ１１には、下方の桟瓦７の上面形状に対応して変形する柔軟な保持体３をあらかじめ垂れ下げ状に取り付ている。
保持体３は、図４のように柔らかいウレタン発泡体からなるスポンジ状の本体３０と、当該スポンジ状本体３０の背側が接着された硬質の縁材３１とから構成され、スポンジ状の本体３０には多数の歯状片３０ａが列状に形成され、全体が櫛状を呈している。
縁材３１の幅は本体３０の肉厚よりもやや広いので、縁材３１の両則部は蟻形状を呈しており、これをフランジ１１の下面に形成されているあり溝状の取付溝１３内に差し込むことにより、保持体３をフランジ１１の下面に垂れ下げ状に取り付けるように構成されている。
【００１３】
垂れ壁９に壁際芯材１を取り付けると、保持体３はその柔軟性により下の桟瓦７の上面形状に対応して変形し、フランジ１１の下面の隙間に収まり、この状態の保持体３へ発泡性を有するプラスチック（例えばウレタン）４を吹き付けながら塗り付けて発泡保持させ、この部分を防水施工する。プラスチック４はやがて固まり、フランジ１１の下を塞ぐ壁になる。
【００１４】
その後、フランジ１１に面戸瓦５をねじ釘５ａで釘止めしてフランジ１１の下を塞ぎ、上部の取付部１０に熨斗瓦６をねじ釘６ａにより取り付ける。最上位の熨斗瓦６の上の壁際には捨て板９１を芯材１に対して釘止めし、この捨て板９１を垂れ壁９釘止めした板金９２で覆い、垂れ壁の上部表面に化粧モルタル９０を塗工して水平壁際の施工を完了する。
【００１５】
前記実施形態の壁際芯材の取付構造によれば、壁際芯材１は垂れ壁９に固定された取付金具２の受部２０に支持され、この状態で垂れ壁９へ釘止めされるので壁際芯材１の取付けが非常に円滑にしかも簡単かつ確実に行われる。
壁際芯材は前述のような木質材料を材質とするので、腐食せずに長持ちし、しかも釘止めに便利である。
受部２０と壁際芯材１の底面には、互いに係合し合う係合部２１，１２が形成されているので、取付金具２が補強されるほか当該金具と芯材との収まり具合が良く芯材の位置決めも容易である。
壁際芯材１の背面側には、取付金具２の受部２０以外の部分が嵌め込み状に収まる収容部が形成されているので、芯材１と垂れ壁９との間に隙間が生じない。
【００１６】
第２実施形態
図５は本発明に係る実施形態の取付構造を傾斜壁際に実施した壁際施工構造の断面図、図６は傾斜壁際における壁際芯材の部分斜視図である。
下屋根８には、屋根下地８０及び桟木８１に桟瓦７がねじ釘などにより固定状態で葺かれており、下屋根の壁際には壁際芯材１が第１実施形態と同様な要領により固定される。８２は捨て水切り板である。
壁際芯材１は、第３実施形態の芯材とはフランジ１１の形状を若干異にしているがほぼ同様な形態であり、フランジ１１の先端部の上面には長さ方向に沿って溝又は突条１１ａが形成されている。．
この実施形態では、壁際芯材１を垂れ壁９に取り付けた状態では、フランジ１１と下の桟瓦７との間が大きくなっているので、芯材１を屋根下地８０に固定した後、保持体３をフランジ１１に取り付けることができる。
【００１７】
第１実施形態とほぼ同様に、保持体３に発泡性のプラスチック４を吹き付けて発泡保持させ、当該プラスチック４の壁によりフランジ１１と桟瓦９との隙間を塞ぐ。発泡したプラスチック４が固まった後、プラスチック４の壁の外側から前記フランジ１１の上面にわたる部分に化粧モルタル５０を塗工する。このとき、化粧モルタル５０が溝又は突条１１ａを覆う状態に塗工し、化粧モルタル５０を溝又は突条１１ａへ絡ませて強固な塗工状態が得られるようにしている。
この実施形態の取付構造の他の構成や作用効果は、第１実施形態とほぼ同様であるので、それらの説明は省略する。
【００１８】
【発明の効果】
請求項１の発明に係る瓦屋根における壁際芯材の取付構造によれば、壁際芯材は垂れ壁に固定された取付金具の受部に支持され、この状態で垂れ壁へ固定されるので壁際芯材の取付けが非常に円滑にしかも簡単かつ確実に行われる。
【００１９】
請求項２の発明に係る壁際芯材の取付構造によれば、壁際芯材は木質材料を材質とするので、腐食せずに長持ちし、しかも釘止めに便利である。
【００２０】
請求項３の発明に係る壁際芯材の取付構造によれば、取付金具の受部と壁際芯材の底面には、互いに係合し合う係合部が形成されているので、取付金具が補強されるほか当該金具と芯材との収まり具合が良く芯材の位置決めも容易になる。
【００２１】
壁際芯材の背面側には、取付金具の受部以外の部分が嵌め込み状に収まる収容部が長さ方向に沿って形成されているので、芯材と垂れ壁との間に隙間が生じない。
【図面の簡単な説明】
【図１】本発明に係る実施形態の取付構造を水平壁際に実施した施工構造の部分断面図である。
【図２】図１の壁際芯材の部分斜視図である。
【図３】取付金具の斜視図である。
【図４】保持体の部分分解斜視図である。
【図５】本発明に係る実施形態の取付構造を傾斜壁際に実施した施工構造の断面図である。
【図６】図５の壁際芯材の部分斜視図である。
【符号の説明】
１  芯材
１０  取付部
１１  フランジ
１１ａ  溝又は突条
１２  係合部
１３  取付溝
１４  収容部
１５  ねじ釘
２  取付金具
２０  受部
２１  係合部
２２  ねじ釘
２３  孔
３  保持体
３０  本体
３０ａ  歯状片
３１  縁材
４  発泡したプラスチック
５  面戸瓦
５０  化粧モルタル
６  熨斗瓦
７  桟瓦．
８  下屋根
８０  屋根下地
９  垂れ壁
【図１】
2004316362.tif 000003
【図２】
2004316362.tif 000004
【図３】
2004316362.tif 000005
【図４】
2004316362.tif 000006
【図５】
2004316362.tif 000007
【図６】
2004316362.tif 000008